(57)【要約】【課題】瓶の口部を係止溝部の溝内に入れる溝挿入操作が安定性良くスムーズに行え、瓶の引き上げ操作及びテーブル上への置き渡し運搬操作がスムーズに行えると共に、製作容易で量産性に優れコストダウンも図れ、また汚れも拭き取り易く衛生的で、重ね収納も可能となるなど極めて優れた瓶キャリアを提供すること。【解決手段】瓶係止板部７及び連設板部９及び把持板部８は、一枚の板材がＺ状に折り返されて連設する折り返し板形状に構成され、上部の把持板部８は、複数の手の指を下側から差し入れて下側から支持することで前記複数の瓶３の重みを支持でき、且つ前記傾き操作を行える突出長を有し瓶係止板部７の先端上向き傾斜姿勢と逆の先端下向き傾斜姿勢でこの瓶係止板部７と反対側に突出する板形状に構成されている瓶キャリア。【選択図】図１
2019099218.tif 000002
【特許請求の範囲】
【請求項１】
瓶ケース内若しくはテーブル上に整列状態に自立している複数の瓶に対して片手での傾け操作と移動操作とによる溝挿入操作によって、溝入口から溝内に前記瓶の口部を挿入させてこの瓶の口部に抜け止め係止させ瓶を吊り下げ係止状態で持ち上げる係止溝部が複数並設状態に設けられた瓶係止板部に、前記傾け操作と移動操作とによる前記溝挿入操作を行う片手持ち上げ用の把持板部が設けられ、この把持板部を片手の手の指で下側から支持して、並設状態に近接載置された複数の前記瓶の口部の間隔に設定されている前記係止溝部に前記溝挿入操作によって前記口部を挿入させて持ち上げた際、この各瓶の口部がこの各係止溝部に抜け止め係止されて吊り下げ係止状態となると共に、この吊り下げられた瓶の重み及び自重により前記瓶係止板部が前記係止溝部の溝入口側が上側となる先端上向き傾斜姿勢に保持される形状に設定されていて、この瓶係止板部の前記係止溝部の溝入口側と反対側の基部に上方に突出する連設板部が設けられ、この連設板部に前記係止溝部と反対側に突出する前記把持板部が設けられて、前記瓶係止板部及び前記連設板部及び前記把持板部は、一枚の板材が折り返されて連設する折り返し板形状に構成され、上部の前記把持板部は、複数の手の指を下側から差し入れて下側から支持することで前記複数の瓶の重みを支持でき、且つ前記傾き操作を行える突出長を有し前記瓶係止板部の前記先端上向き傾斜姿勢と逆の先端下向き傾斜姿勢でこの瓶係止板部とは反対側に突出する板形状に構成されていることを特徴とする瓶キャリア。
【請求項２】
前記瓶係止板部の前記連設板部に対する突出長は、並設状態に近接載置された複数の瓶が複数列整列された瓶ケースのこの列間の口部間に、前記連設板部から突出している前記瓶係止板部を下降させてこの複数の口部を前記瓶係止板部の各係止溝部に挿入できる程度に短い突出長に設定されていることを特徴とする請求項１記載の瓶キャリア。
【発明の詳細な説明】
【技術分野】
【０００１】
本発明は、ビール瓶などの瓶を片手で複数本同時に瓶ケースから持ち上げて運んだり、逆に瓶ケースに同時に整列収納させたりする瓶キャリアである。
【背景技術】
【０００２】
例えばビール瓶などは、片手で複数本同時につかんで持ち上げることは困難である。特にビールケース（瓶ケース）に整列収納されているビール瓶を片手で束ねて引き上げようとすると、瓶が重い上にケース内の仕切りが障害となるため困難であり、一本一本各手で引き上げなければならず、そしてこのビール瓶をお盆や瓶運搬専用のおかち持ちに入れ換えて運搬しなければならず、そしてまたこのおかち持ちから取り出して一本一本テーブルに置き直さなければならない。
【０００３】
また、ビールケース毎一挙にテーブル間近まで運ぶことはかなりの労力を要する。
【０００４】
そこで、従来ビール瓶が整列収納されているビールケースから片手で同時に複数本を一挙に持ち上げて取り出しそのまま片手でテーブルに運べる瓶キャリアが考案されている。
【０００５】
例えば実開平６−８０６８７号に示すように、把手部を持って瓶係止板部に複数並設形成した係止溝部の溝入口から溝内にビール瓶の口部（径大部の下側の先細り部）を挿入させて引き上げることで、ビール瓶の口部（先細り部の上側の径大部）がその係止溝部に引っ掛かって吊り下げ係止され、そのまま片手で複数本のビール瓶を同時にビールケースから引き上げ吊り下げ運搬できる瓶キャリアが考案されている。
【０００６】
しかしながら、このような瓶キャリアは、単に係止溝部を複数並列状態に設けた瓶係止板部の上部に連設板部を設け、この連設板部の上部に把持部として下向きコ状のハンドルを設けた構成にすぎないため、前記瓶の口部を溝内に入れる溝挿入操作が安定性良くスムーズに行えないだけでなく、製作も容易でなくコスト高となり、また汚れを拭き取りにくいし、重ね収納もできない構成であり、商品価値の低いものであった。
【先行技術文献】
【特許文献】
【０００７】
【特許文献１】実開平６−８０６８７号公報
【発明の概要】
【発明が解決しようとする課題】
【０００８】
本発明は、従来の様々な瓶キャリアの欠点を改善し、前記瓶の口部を係止溝部の溝内に入れる溝挿入操作が安定性良くスムーズに行え、瓶の引き上げ操作及びテーブル上への置き渡し運搬操作がスムーズに行えると共に、製作容易で量産性に優れコストダウンも図れ、また汚れも拭き取り易く衛生的で、重ね収納も可能となるなど極めて優れた瓶キャリアを提供することを目的としている。
【課題を解決するための手段】
【０００９】
添付図面を参照して本発明の要旨を説明する。
【００１０】
瓶ケース１内若しくはテーブル10上に整列状態に自立している複数の瓶３に対して片手での傾け操作と移動操作とによる溝挿入操作によって、溝入口４から溝内５に前記瓶３の口部２を挿入させてこの瓶３の口部２に抜け止め係止させ瓶３を吊り下げ係止状態で持ち上げる係止溝部６が複数並設状態に設けられた瓶係止板部７に、前記傾け操作と移動操作とによる前記溝挿入操作を行う片手持ち上げ用の把持板部８が設けられ、この把持板部８を片手の手の指で下側から支持して、並設状態に近接載置された複数の前記瓶３の口部２の間隔に設定されている前記係止溝部６に前記溝挿入操作によって前記口部２を挿入させて持ち上げた際、この各瓶３の口部２がこの各係止溝部６に抜け止め係止されて吊り下げ係止状態となると共に、この吊り下げられた瓶３の重み及び自重により前記瓶係止板部７が前記係止溝部６の溝入口４側が上側となる先端上向き傾斜姿勢に保持される形状に設定されていて、この瓶係止板部７の前記係止溝部６の溝入口４側と反対側の基部に上方に突出する連設板部９が設けられ、この連設板部９に前記係止溝部６と反対側に突出する前記把持板部８が設けられて、前記瓶係止板部７及び前記連設板部９及び前記把持板部８は、一枚の板材が折り返されて連設する折り返し板形状に構成され、上部の前記把持板部８は、複数の手の指を下側から差し入れて下側から支持することで前記複数の瓶３の重みを支持でき、且つ前記傾き操作を行える突出長を有し前記瓶係止板部７の前記先端上向き傾斜姿勢と逆の先端下向き傾斜姿勢でこの瓶係止板部７とは反対側に突出する板形状に構成されていることを特徴とする瓶キャリアに係るものである。
【００１１】
また、前記瓶係止板部７の前記連設板部９に対する突出長は、並設状態に近接載置された複数の瓶３が複数列整列された瓶ケース１のこの列間の口部２間に、前記連設板部９から突出している前記瓶係止板部７を下降させてこの複数の口部２を前記瓶係止板部７の各係止溝部６に挿入できる程度に短い突出長に設定されていることを特徴とする請求項１記載の瓶キャリアに係るものである。
【発明の効果】
【００１２】
本発明は上述のように構成したから、瓶の口部を係止溝部の溝内に入れる溝挿入操作が安定性良くスムーズに行え、瓶の引き上げ操作及びテーブル上への置き渡し運搬操作がスムーズに行えると共に、製作容易で量産性に優れコストダウンも図れ、また汚れも拭き取り易く衛生的で、重ね収納も可能となるなど極めて優れた瓶キャリアとなる。
【００１３】
また、請求項２記載の発明においては、一層実用性に優れた瓶キャリアとなる。
【図面の簡単な説明】
【００１４】
【図１】本実施例の瓶係止板部側から見た斜視図である。
【図２】本実施例の把持板部側から見た斜視図である。
【図３】本実施例の側面図である。
【図４】本実施例の溝挿入操作を示すもので、ビールケースに整列している４本（１列）のビール瓶を同時に引き上げるに際して、各ビール瓶の口部に瓶係止板部の各係止溝部を挿入させた状態の説明斜視図である。
【図５】本実施例の引き上げ操作を示すもので、ビールケースに整列している４本（１列）のビール瓶を同時に引き上げるに際して、各ビール瓶の口部に瓶係止板部の各係止溝部を挿入させた後引き上げてビール瓶を吊り下げ係止状態で持ち上げた状態の説明斜視図である。
【図６】本実施例の溝挿入操作を示すもので、ビールケースに整列している４本（１列）のビール瓶を同時に引き上げるに際して、各ビール瓶の口部に瓶係止板部の各係止溝部を挿入させる直前の説明側面図である。
【図７】本実施例の溝挿入操作を示すもので、ビールケースに整列している４本（１列）のビール瓶を同時に引き上げるに際して、各ビール瓶の口部に瓶係止板部の各係止溝部を挿入させた状態での説明側面図である。
【図８】本実施例の引き上げ操作を示すもので、ビールケースに整列している４本（１列）のビール瓶を同時に引き上げるに際して、各ビール瓶の口部に瓶係止板部の各係止溝部を挿入させた後引き上げてビール瓶を吊り下げ係止状態で持ち上げた状態の説明側面図である。
【図９】本実施例のテーブル上の各ビール瓶の口部に各係止溝部を挿入させる直前の状態、あるいはテーブル上に置き挿脱させて置き去りにした状態での説明斜視図である。
【図１０】本実施例の重ね合わせ収納状態での側面図である。
【発明を実施するための形態】
【００１５】
好適と考える本発明の実施形態を、図面に基づいて本発明の作用を示して簡単に説明する。
【００１６】
瓶係止板部７に連設板部９を介して上方に一体形成されている把持板部８は板状であって、その瓶係止板部７と反対側に突出する突出長は、片手の手の複数の指（具体的には親指以外の他の４本の指）を下側から差し入れてこの指で支持できる長さ（突出長）を有する板状である。
【００１７】
すなわち、この本発明の把持部（持ち手）は、上方から握持する形状の把手部ではなく、また下方から握持する形状の把手部でもなく、十分な板長（奥行き）ともいえる突出長を有する板状で、またその先端（指差し入れ側）を下向きに傾斜した先端下向き傾斜姿勢となる板状で、複数の指を下側から差し入れて支持して、上下移動操作やスライド移動操作などの移動操作だけでなく手先前後方向に揺動させる傾き操作が安定性良くスムーズに行える把持板部８で構成されている。
【００１８】
具体的には、この把持板部８は、握持するのではなく、片手の４本の指で下側から例えばその端縁を手（指の付け根）で受けるように支持し、残りの親指は補助として上から把持板部８若しくは連設板部９の上面に添える若しくは押さえる程度として把持できる板形状で、各瓶３の口部２（口部の先細り部（径小部））を各係止溝部６に挿入させて（口部の径大部に）吊り下げ係止する瓶係止板部７と反対側に突出し、またこれと逆傾斜の先端下向き傾斜姿勢となって例えばその端縁を手で受けるように支持もできるから持ち易く、且つ前記移動操作や傾き操作による溝挿入操作もし易い板形状に構成されている。
【００１９】
したがって、移動操作だけでなく、瓶係止板部７を傾ける傾け操作（揺動操作）も、そしてこの瓶係止板部７をスライド移動させるなどして口部２を溝内５へ挿入させる移動操作も、持ち替えることも一切不要で一連の動作で行うことができ、また腕の振り子動作で傾け操作を行うことができ、安定性良くスムーズに溝挿入操作が行えることとなる。
【００２０】
また、このような形状に形成するために、例えば板材を略Ｚ状に折り返した形状とすることで実現できることになるから、これにより製作も容易となり量産性に優れる。
【００２１】
また、このように一枚の板材で基体を形成できるため、汚れもつきにくいし、汚れがついても常に拭き取り易く、衛生的な商品となり、重ね収納可能に設計することも容易となり、また、自立させてテーブル上に載置させておくことも可能となるように設計することも容易となる。
【００２２】
また、前述のように、この把持板部８を片手の手の指で下側から支持して、並設状態に近接載置された複数の前記瓶３の口部２の間隔に設定されている前記係止溝部６に、前記溝挿入操作によって前記口部２を挿入した状態で持ち上げた際、この各瓶３の口部２がこの各係止溝部６に抜け止め係止されて吊り下げ係止状態となると共に、この吊り下げられた瓶３の重み及び自重により前記瓶係止板部７が前記係止溝部６の溝入口４側が上側となる先端上向き傾斜姿勢に保持される形状に設定され、しかも把持板部８はこれとは逆の傾斜で反対側に先端下向き傾斜姿勢となる形状に設定されているから、一連の動作で前記溝挿入操作もし易く、また引き上げ操作後、運搬中の瓶３の吊り下げ安定性も良いし、係脱するおそれも手から外れるおそれもない。
【００２３】
また、このような傾斜姿勢とするように設計することも、前述したように略Ｚ状に形成することで容易に実現可能となる。
【実施例】
【００２４】
本発明の具体的な実施例について図面に基づいて説明する。
【００２５】
本実施例では、前記瓶係止板部７の前記係止溝部６の溝入口４側と反対側の基部に上方に突出する連設板部９が設けられ、この連設板部９に前記係止溝部６の溝入口４側と反対側に突出する前記把持板部８が設けられて、前記瓶係止板部７及び前記連設板部９及び前記把持板部８は、一枚の板材が略Ｚ状に折り返されて連設する折り返し板形状に構成されている。
【００２６】
下側の瓶係止板部７は、瓶ケース１内若しくはテーブル10上に近接整列状態に自立している複数の瓶３に対して片手での傾け操作と移動操作とによる溝挿入操作によって、溝入口４から溝内５に前記瓶３の口部２（口部の先細り径小部）を挿入させてこの瓶３の口部２（先細り径小部の上側の口部径大部）に抜け止め係止させ瓶３を吊り下げ係止状態で持ち上げる係止溝部６がこの間隔に合致させて複数並設状態に設けられている。
【００２７】
また、この瓶係止板部７に連設板部９を介して前記傾け操作と移動操作とによる前記溝挿入操作を行う片手持ち上げ用の把持板部８が設けられている。
【００２８】
この上部の把持板部８は、複数の手の指を下側から差し入れて下側から例えばその端縁を手で受けるように支持することで前記複数の瓶３の重みを支持でき、且つ前記傾き操作を行える突出長を有し前記瓶係止板部７の前記先端上向き傾斜姿勢と逆の先端下向き傾斜姿勢で反対方向に突出する板形状に構成されている。
【００２９】
すなわち、この本発明の把持部（持ち手）は、上方から握持する形状の把手部ではなく、また下方から握持する形状の把手部でもなく、十分な板長（奥行き）ともいえる突出長を有する板状で、またその先端（指差し入れ側）を下向きに傾斜した先端下向き傾斜姿勢となる板状で、片手の４本の指を下側から差し入れて例えばその端縁を手で受けるように支持し、上下移動操作やスライド移動操作などの移動操作だけでなく手先前後方向に揺動させる傾き操作が腕の前後への揺動により行え安定性良くスムーズに行える把持板部８で構成されている。
【００３０】
具体的には、この把持板部８は、握持するのではなく、片手４本の指で下側から支持し、残りの親指は補助として上から押さえる程度として把持できる板形状で、各瓶３の口部２（先細りの口部径小部）を各係止溝部６に挿入させて（この口部径小部の直上の口部径大部に）吊り下げ係止する瓶係止板部７と反対側に突出し、またこれと逆傾斜の先端下向き傾斜姿勢となって例えばその端縁を手で受けるように支持もできるから持ち易く、且つ前記移動操作や傾き操作による溝挿入操作もし易い板形状に構成されている。
【００３１】
したがって、移動操作だけでなく、瓶係止板部７を傾ける傾け操作（揺動操作）も、そしてこの瓶係止板部７をスライド移動させるなどして口部２を溝内５へ挿入させる移動操作も、持ち替えることも一切不要で一連の動作で行うことができ、また腕の振り子動作で傾け操作を行うことができ、安定性良くスムーズに溝挿入操作が行えることとなる。
【００３２】
また、本実施例では、前記把持板部８を片手の手の指で下側から支持して、並設状態に近接載置された（瓶ケース１内に整列収納あるいはテーブル10上に接近させて並べ置いた）複数の前記瓶３の口部２の間隔に設定されている前記係止溝部６に、前記溝挿入操作によって前記口部２を挿入させて持ち上げた際、この各瓶３の口部２がこの各係止溝部６に抜け止め係止されて吊り下げ係止状態となると共に、この吊り下げられた瓶３の重み及び自重により前記瓶係止板部７が前記係止溝部６の溝入口４側が上側となる先端上向き傾斜姿勢に保持される形状に設定されている。
【００３３】
しかも把持板部８は、この瓶係止板部７とは反対側に逆の傾斜で先端下向き傾斜姿勢となる形状に設定されているから、一連の一動作で前記溝挿入操作もし易く、また引き上げ操作後、運搬中の瓶３の吊り下げ安定性も良いし、係脱するおそれも手から外れるおそれもない。
【００３４】
また、このような傾斜姿勢とするように設計することも、前述したように略Ｚ状に形成することで容易に実現可能となる。
【００３５】
また、本実施例では、前記瓶係止板部７の前記連設板部９に対する突出長は、並設状態に近接載置された複数の瓶３が複数列整列された瓶ケース１のこの列間の口部２間に、前記連設板部９から突出している前記瓶係止板部７を下降させてこの複数の口部２を前記瓶係止板部７の各係止溝部６に挿入できる突出長に設定されている。
【００３６】
また、本実施例では、一枚の幅広な板材を略Ｚ状に折り返した形状に成形して構成し、この横幅すなわち瓶係止板部７の幅は、ビール瓶３を整列収納する瓶ケース１の１列４本を同時に引き上げられるように４ヵ所の係止溝部６が形成できる幅に設定している。
【００３７】
すなわち、この係止溝部６を瓶ケース１内の口部２の間隔に合致させた間隔を置いて４ヵ所設けた瓶係止板部７に形成した幅広な板形状としている。
【００３８】
また、４本の瓶３の口部２を同時にこの４ヵ所の係止溝部６に挿入させ易いように、この口部２間隔に合致させると共に、この係止溝部６の溝入口４はやや口広として溝内５へ誘い込み易い入口形状に形成している。
【００３９】
また、この瓶係止板部７の基部に連設板部９を上方に向けて連設し、さらにこの連設板部９の上部を瓶係止板部７とは反対側に折り返すような形状にして把持板部８を突出しているが、この連設板部９の両端部、すなわち瓶係止板部７との連結部分と把持板部８との連設部分には、瓶係止板部７を水平に載置して自立させた状態とした際に連設板部９が傾斜状となるのに対して、これに比べて傾斜せず上下に略垂直に立ち上がるストレート部を設けて、下部に口部逃げ空間（スペース）を設けると共に、上部には指挿入用の指逃げ空間（スペース）が確保される形状に構成している。
【００４０】
また、この略Ｚ状の基体の上部の先端下向きを傾斜姿勢となる把持板部８の表面を指がすべらず一層安定性良く支承でき操作もし易くなる指すべり止め部11を後付け形成している。
【００４１】
尚、本発明は、本実施例に限られるものではなく、各構成要件の具体的構成は適宜設計し得るものである。
【符号の説明】
【００４２】
１  瓶ケース
２  口部
３  瓶
４  溝入口
５  溝内
６  係止溝部
７  瓶係止板部
８  把持板部
９  連設板部
10  テーブル
【図１】
2019099218.tif 000003
【図２】
2019099218.tif 000004
【図３】
2019099218.tif 000005
【図４】
2019099218.tif 000006
【図５】
2019099218.tif 000007
【図６】
2019099218.tif 000008
【図７】
2019099218.tif 000009
【図８】
2019099218.tif 000010
【図９】
2019099218.tif 000011
【図１０】
2019099218.tif 000012